(57)【要約】【課題】  加温前の水と加温された水との成層が明確に形成されるように給水することができ、貯湯タンク内に安定した温度の温水を常時貯湯する。【解決手段】  電気料金の安い夜間電力を利用して沸かした温水を貯湯タンクに貯蔵しておき、昼間のピーク時にその温水を使用する貯湯式電気温水器であって、その電気温水器の内部に発熱体４を配置すると共に、全体を薄型の扁平形状に形成した貯湯タンク２と、貯湯タンク２に形成した仕切り壁５へ向けて配置した給水構造（給水口７）と、を備えた。【選択図】  図２
2006029595.tif 000002
【特許請求の範囲】
【請求項１】
内部に発熱体（４）を配置すると共に、全体を薄型の扁平形状に形成した貯湯タンク（２）と、
該貯湯タンク（２）に形成した仕切り壁（５）へ向けて、補給する水が吐き出すように配置した給水構造と、
を備えた、ことを特徴とする貯湯式電気温水器の給水構造。
【請求項２】
前記貯湯タンク（２）は、複数本の略円筒形状を上下方向に並列するように形成した仕切り壁（５）と、該仕切り壁（５）の軸方向と直交する略半円筒形状を水平方向へ配置するように形成した凹凸壁面（５ａ）とを両面に具備したものである、ことを特徴とする請求項１の貯湯式電気温水器の給水構造。
【請求項３】
前記給水構造は、前記貯湯タンク（２）の狭い側壁面（６）に、給水口（７）の吐出口（８）を下方へ向けて傾斜配置した、ことを特徴とする請求項１又は２の貯湯式電気温水器の給水構造。
【請求項４】
前記給水構造は、略Ｌ字状に形成した給水パイプ（１１）をその吐出口（１２）が仕切り壁（５）に向くように配置したものである、ことを特徴とする請求項１又は２の貯湯式電気温水器の給水構造。
【請求項５】
前記給水パイプ（１１）の吐出口（１２）を、下方へ向けて傾斜配置した、ことを特徴とする請求項４の貯湯式電気温水器の給水構造。
【発明の詳細な説明】
【技術分野】
【０００１】
本発明は、貯湯タンク内に発熱体を設けた貯湯式電気温水器に係り、特に貯湯タンク内に水を補給するための貯湯式電気温水器の給水構造に関するものである。
【背景技術】
【０００２】
貯湯式電気温水器は、電気料金の安い夜間電力を利用して沸かした温水を貯湯タンクに貯蔵しておき、昼間のピーク時にその温水を使用するものである。この貯湯タンクの形状及び配置に関する先行技術としては、特許文献１の特開２００４−１０１０９８公報に示すように、貯湯タンクを横方向又は縦方向の何れにも並列できるように、複数に分割してユニット化したものであり、設置しやすいように、この貯湯タンクは例えば６４リットル程度は貯蔵できるように、全体を薄型の扁平形状に形成し、タンクの周囲に断熱材５を貼り付けた構造のものが提案されている。
【特許文献１】特開２００４−１０１０９８
【発明の開示】
【発明が解決しようとする課題】
【０００３】
しかし、従来の貯湯タンクでは、その内部の温水を使用して減量したときに、給水管から冷たい水を補給するときに、温水と冷水が混合して温水の温度が不均一になり、温度成層が形成されないことがあった。このように温度成層が形成されていない貯湯タンクから供給される温水は、熱湯とぬるま湯が交じり合ったものとなるために、快適に温水を使用できないという問題を有していた。
【０００４】
本発明は、かかる問題点を解決するために創案されたものである。すなわち、本発明の目的は、加温前の水と加温された水との成層が明確に形成されるように給水することができ、貯湯タンク内に安定した温度の温水を常時貯湯することができる貯湯式電気温水器の給水構造を提供することにある。
【課題を解決するための手段】
【０００５】
本発明によれば、内部に発熱体（４）を配置すると共に、全体を薄型の扁平形状に形成した貯湯タンク（２）と、該貯湯タンク（２）に形成した仕切り壁（５）へ向けて、補給する水が吐き出すように配置した給水構造と、を備えた、ことを特徴とする貯湯式電気温水器の給水構造が提供される。
【０００６】
前記貯湯タンク（２）は、複数本の略円筒形状を上下方向に並列するように形成した仕切り壁（５）と、該仕切り壁（５）の軸方向と直交する略半円筒形状を水平方向へ配置するように形成した凹凸壁面（５ａ）とを両面に具備したものである。
前記給水構造は、前記貯湯タンク（２）の狭い側壁面（６）に、給水口（７）の吐出口（８）を下方へ向けて傾斜配置したものである。
【０００７】
前記給水構造は、略Ｌ字状に形成した給水パイプ（１１）をその吐出口（１２）が仕切り壁（５）に向くように配置したものである。
前記給水パイプ（１１）の吐出口（１２）を、下方へ向けて傾斜配置することが好ましい。
【発明の効果】
【０００８】
上記構成の発明では、給水構造から補給する水が貯湯タンク（２）に形成した仕切り壁（５）へ当接するので、その水勢を減衰させることができる。これにより、加温前の水と加温中の水との成層が明確に形成され、短時間に大量の温水を供給して同時に大量の水を補給するときにも、安定した温度の温水を貯湯し、かつ供給することができる。
また、補給する水の温度成層性能を向上させることができるので、貯湯タンク（２）の外形寸法を小さくすることができる。
【発明を実施するための最良の形態】
【０００９】
本発明は、薄型の扁平形状に形成した貯湯タンクの狭い側壁面に、補給する水がこの貯湯タンクの内に形成した仕切り壁へ当接するように給水構造を配置したものである。
【００１０】
以下、本発明の好ましい実施の形態を図面を参照して説明する。
図１は本発明の給水構造を構成する貯湯式電気温水器の貯湯タンクの内部構造を示す正断面図である。
本発明の貯湯式電気温水器１の貯湯タンク２は、例えば１２０リットル程度の温水を貯蔵できるように、全体を薄型の扁平形状に形成し、その周囲に断熱材３を貼り付けたものである。この貯湯タンク２は、合成樹脂製のブロー成型により製造する。例えば、ＰＰＥ（ポリフェノールエチレン）等の合成樹脂材を用いる。本発明では  建築構造体への負担を軽減するために、貯湯タンク２を軽量化してある。但し、タンクとして常時０．１ＭＰａの耐圧力、常時８５℃から最高１００℃程度の耐熱性能を有する合成樹脂材であれば、このＰＰＥに限定されず他の合成樹脂材に種々変更できる。
【００１１】
貯湯タンク２の内部には、電気料金の安い夜間電力を利用して湯を沸かすための発熱体４と、湯温センサ、過昇防止サーモ等を配置してある。貯湯タンク２外部には、略扁平形状の壁面の周囲に真空断熱材等の断熱材３で包み込んだものである。この断熱材３は、１３時間放置後の温度低下が２０度未満を満足する程度の素材が必要である。なお、貯湯タンク２の内部構造は、発熱体４、湯温センサや過昇防止サー等の配置は、図示例の構造に限定されない。
【００１２】
本発明の貯湯タンク２の壁面は、複数本の略円筒形状を上下方向に並列するように形成した仕切り壁５と、この仕切り壁５の軸方向と直交する略半円筒形状を水平方向へ配置するように形成した凹凸壁面５ａとを両面に具備したものである。この仕切り壁５を形成することにより、貯湯タンク２の壁面を薄くしても必要量の耐圧性を有するようになっている。
【実施例１】
【００１３】
図２は本発明の実施例１の給水構造であり、（ａ）は拡大平断面図（ｂ）は拡大正断面図である。
実施例１の給水構造は、貯湯タンク２の狭い側壁面６に、下方へ向けて給水口７を傾斜配置したものである。この給水口７から補給する水は、この貯湯タンク２の内に形成した仕切り壁５へ当接するので、その水勢を減衰させることができる。これにより、加温前の水と加温中の水との成層が明確に形成され、短時間に大量の温水を供給して同時に水を補給するときにも、安定した温度の温水を貯湯し、かつ供給することができる。
【００１４】
特に、給水口７は、貯湯タンク２の下部において、補給する水が下方へ流入し、かつ補給する水が仕切り壁５へ当接するように配置したものであれば、上述した構成に限定されない。例えば、給水管７の吐出口８は、水平方向と上下方向への傾斜角度を調整することで、更に補給水を安定した状態で給水することができる。
【実施例２】
【００１５】
図３は本発明の実施例２の給水構造であり、（ａ）は拡大平断面図（ｂ）は拡大正断面図である。
実施例２の給水構造は、パイプを略Ｌ字状に形成した給水パイプ１１をその吐出口１２が仕切り壁５に向くように配置したものである。この給水パイプ１１は貯湯タンク２の上部から垂下し、その吐出口１２を斜め下方へ傾斜させたものである。このように給水パイプ１１の吐出口１２の傾斜角度を調整することでも、補給水を安定した状態で給水することができる。
【００１６】
なお、本発明は、補給する水が下方へ流入するように給水構造（給水口７，給水パイプ１１）を貯湯タンク２に配置した構成であれば、上述した発明の実施の形態に限定されず、本発明の要旨を逸脱しない範囲で種々変更できることは勿論である。
【産業上の利用可能性】
【００１７】
本発明の貯湯式電気温水器の給水構造は、主に全体が薄型の扁平形状になり、凹凸壁面５ａを形成した貯湯タンク２に利用することができるが、仕切り壁５が具備されていればこのような凹凸壁面５ａがない扁平な壁面の貯湯タンク等にも利用することができる。
【図面の簡単な説明】
【００１８】
【図１】本発明の給水構造を構成する貯湯式電気温水器の貯湯タンクの内部構造を示す正断面図である。
【図２】本発明の実施例１の給水構造であり、（ａ）は拡大平断面図（ｂ）は拡大正断面図である。
【図３】実施例２の給水構造であり、（ａ）は拡大平断面図（ｂ）は拡大正断面図である。
【符号の説明】
【００１９】
１  貯湯式電気温水器
２  貯湯タンク
３  断熱材
４  発熱体
５  仕切り壁
５ａ  略半円筒形状の水平方向凹凸壁面
６  側壁面
７  給水口
８  吐出口
１１  給水パイプ
１２  吐出口
【図１】
2006029595.tif 000003
【図２】
2006029595.tif 000004
【図３】
2006029595.tif 000005